(57)【要約】  本体部（２）に設けられた電磁石（５）が、ディスプレイ部（３）に設けられた永久磁石（６）に対する吸引磁力によってディスプレイ部（３）を閉位置に保持する。
2016157526.tif 000002
【特許請求の範囲】
【請求項１】
収納部を有する固定部材と、
前記収納部に収納される閉位置と前記固定部材から吊り下げられる開位置との間で回転自在に支持されるディスプレイ部と、
前記固定部材および前記ディスプレイ部の一方に設けられた永久磁石と、
前記固定部材および前記ディスプレイ部のもう一方に設けられ、前記永久磁石に対する吸引磁力によって前記ディスプレイ部を閉位置に保持する電磁石と
を備えたことを特徴とするディスプレイ装置。
【請求項２】
操作物を検知する第１のセンサを備え、
前記電磁石は、前記第１のセンサによって操作物が検知されると通電が遮断されて前記ディスプレイ部の保持を解除することを特徴とする請求項１記載のディスプレイ装置。
【請求項３】
閉位置における前記ディスプレイ部を検知する第２のセンサを備え、
前記電磁石は、前記第２のセンサによって閉位置の前記ディスプレイ部が検知されると通電されて前記ディスプレイ部を閉位置に保持することを特徴とする請求項１記載のディスプレイ装置。
【発明の詳細な説明】
【技術分野】
【０００１】
この発明は、車両内の天井面などに固定された本体部に対してディスプレイ部が回転自在に支持される天吊り用のディスプレイ装置に関する。
【背景技術】
【０００２】
天吊り用のディスプレイ装置において、ディスプレイ部は、本体部に収納される位置と本体部から吊り下げられる位置との間で回転自在となるように本体部に支持されている。
本体部に収納されてディスプレイ画面を視認できない位置が閉位置であり、本体部から吊り下げられてディスプレイ画面の視認が可能な位置が開位置である。
ディスプレイ部が本体部に対して吊り下げられた状態になることから、開位置の方向には、ディスプレイ部の自重で回転可能である。一方、閉位置では、ディスプレイ部を重力に反して保持する必要がある。【０００３】
ディスプレイ部を閉位置に保持するため、例えば、特許文献１には、係合部が係合受部に係合することにより機械的にディスプレイ部を保持するロック機構が記載されている。
また、特許文献２には、ディスプレイ部のヒンジの回転トルクを高くすることにより、ディスプレイ部を高トルクで閉位置に保持するディスプレイ装置が記載されている。
【先行技術文献】
【特許文献】
【０００４】
【特許文献１】特開２００４−２１４７９１号公報
【特許文献２】特開２００６−１８９１３５号公報
【発明の概要】
【発明が解決しようとする課題】
【０００５】
特許文献１に記載されるように、上記のロック機構は、多数の部品から構成される複雑な構造となっている。このため、ロック機構を設けるには、本体部に広いスペースが必要となり、ディスプレイ装置が大型化するという課題があった。【０００６】
ロック機構の係合部は、本体部から進退してディスプレイ部側に設けた係合受部と係合するが、ディスプレイ部が開位置になると外部に露出した状態となる。このため、意匠性を損なう要因となっていた。また、ロック機構には、係合を解除するための解除ボタンを設ける必要があるので、ディスプレイ装置の意匠を設計するときに、解除ボタンを含めた外観を常に考慮しなければならなかった。【０００７】
さらに、ディスプレイ部の保持力を確保するため、係合部が係合受部と係合する方向に付勢されている場合、この付勢力によって係合部が係合受部に強く接触して係合することがある。この場合、係合部と係合受部の接触で大きな衝突音が発生する可能性がある。【０００８】
特許文献２に記載されるディスプレイ装置では、ディスプレイ部のヒンジの回転トルクを高くしているため、滑らかにディスプレイ部を開閉できないという課題があった。【０００９】
この発明は、上記の課題を解決するもので、小型化と意匠性の向上を図ることができ、かつ滑らかな開閉が可能なディスプレイ装置を得ることを目的とする。
【課題を解決するための手段】
【００１０】
この発明に係るディスプレイ装置は、収納部を有する固定部材と、収納部に収納される閉位置と固定部材から吊り下げられる開位置との間で回転自在に支持されるディスプレイ部と、固定部材およびディスプレイ部の一方に設けられた永久磁石と、固定部材およびディスプレイ部のもう一方に設けられ、永久磁石に対する吸引磁力によってディスプレイ部を閉位置に保持する電磁石とを備える。
【発明の効果】
【００１１】
この発明によれば、永久磁石に対する電磁石の吸引磁力によってディスプレイ部を保持するので、ロック機構と比較してスペースが少なくて済むことから、ディスプレイ装置の小型化を図ることができる。また、ディスプレイ装置の外部に露出する部品が少なく意匠性も向上する。さらにディスプレイ部のヒンジの回転トルクを高くする必要がないため、滑らかな開閉が可能である。
【図面の簡単な説明】
【００１２】
【図１】この発明の実施の形態１に係るディスプレイ装置を示す斜視図であって、図１（ａ）はディスプレイ部が開位置にあるときのディスプレイ装置を示し、図１（ｂ）はディスプレイ部が閉位置にあるときのディスプレイ装置を示している。
【図２】実施の形態１に係るディスプレイ装置の構成を示すブロック図である。
【図３】実施の形態１に係るディスプレイ装置においてディスプレイ部を開方向に回転させる動作を示すフローチャートである。
【図４】ディスプレイ部を開方向に回転させる操作の概要を示す図であり、図４（ａ）は閉位置にあるディスプレイ部の状態、図４（ｂ）は操作者の手が検知された状態を示し、図４（ｃ）はディスプレイ部を視聴位置まで回転させた状態を示している。
【図５】実施の形態１に係るディスプレイ装置においてディスプレイ部を閉位置に保持する動作を示すフローチャートである。
【発明を実施するための形態】
【００１３】
以下、この発明をより詳細に説明するため、この発明を実施するための形態について、添付の図面に従って説明する。
実施の形態１．
図１は、この発明の実施の形態１に係るディスプレイ装置１を示す斜視図である。図１（ａ）はディスプレイ部３が開位置にあるときのディスプレイ装置１を示しており、図１（ｂ）はディスプレイ部３が閉位置にあるときのディスプレイ装置１を示している。
ディスプレイ装置１は、車両内の天井面などに取り付けられる天吊り用のディスプレイ装置であり、本体部２、ディスプレイ部３、操作物検知センサ４、電磁石５、永久磁石６および収納検知センサ７を備えて構成される。
【００１４】
本体部２は、この発明における固定部材を具体化した構成要素であり、車両内の天井面などの取付面に取り付けられる。また、本体部２には、収納凹部２ａが形成されている。
収納凹部２ａは、ディスプレイ部３が収納される収納部であり、例えば、図１（ａ）に示すように、ディスプレイ部３の外形とほぼ同じ形状で開口した凹部である。
ディスプレイ部３は、閉位置まで回転すると、図１（ｂ）に示すように収納凹部２ａに嵌まった状態で収納される。
【００１５】
ディスプレイ部３は、液晶、有機または無機ＥＬ（ＥｌｅｃｔｒｏＬｕｍｉｎｅｓｃｅｎｃｅ）などのディスプレイパネルであり、収納凹部２ａに収納される閉位置と本体部２から吊り下げられる開位置との間で回転自在に支持される。
例えば、ディスプレイ部３は、一端の両側方からそれぞれ延びた回転シャフトを有しており、この回転シャフトを用いたヒンジによって本体部２に支持されている。
【００１６】
操作物検知センサ４は、この発明における第１のセンサを具体化した構成要素であり、操作者の手などの操作物を検知するセンサである。
操作物検知センサ４には、操作者の手の接触または接近の検知が可能なタッチセンサ、検知光を照射して操作者の手を検知するフォトセンサなどが使用される。
【００１７】
また、電磁石５は本体部２に設けられ、永久磁石６はディスプレイ部３に設けられる。
電磁石５は、永久磁石６に対する吸引磁力を発生することにより、ディスプレイ部３を閉位置に保持する。すなわち、図１（ｂ）に示すように、電磁石５は、ディスプレイ部３が収納凹部２ａに嵌まったときに永久磁石６を吸引する。
なお、電磁石５は、本体部２の外部に露出しないように磁力が届く範囲で内蔵される。
【００１８】
ディスプレイ部３は、本体部２に対して一端が片持ち梁状に支持されており、本体部２に支持された端部が固定端、これに対向する端部が自由端となる。
永久磁石６は、図１（ａ）に示すようにディスプレイ部３の自由端の一部に設けられ、ディスプレイ部３の外部に露出しないように磁力が届く範囲で内蔵される。
このように電磁石５および永久磁石６の両方が内蔵されるので、ディスプレイ装置１の意匠性が損なわれず、また意匠上の制約が軽減される。
【００１９】
また、電磁石５の磁力が作用する面は、図１（ａ）に示すように、収納凹部２ａの底面における、ディスプレイ部３のヒンジとは反対側の端部に配置される。
このようにすることで、永久磁石６は、ディスプレイ部３が収納凹部２ａに収納されたときに、電磁石５の磁力が作用する面の近傍の位置になり電磁石５に吸引される。
【００２０】
収納検知センサ７は、この発明における第２のセンサを具体化した構成要素であって、閉位置におけるディスプレイ部３を検知するセンサである。
収納検知センサ７には、例えば、検知光を照射してディスプレイ部３を検知するフォトセンサが使用される。
【００２１】
電磁石５は、操作物検知センサ４によって操作者の手が検知されると通電が遮断されてディスプレイ部３の保持を解除する。また、電磁石５は、ディスプレイ部３が閉位置まで回転し、収納検知センサ７によって閉位置のディスプレイ部３が検知されると通電されてディスプレイ部３を閉位置に保持する。
なお、電磁石５は、磁性材料の芯にコイルを巻いて構成される部品であり、ロック機構のように多数の部品が不要である。このため、ディスプレイ部３を閉位置に保持することが可能な吸引磁力を発生する電磁石であっても、ロック機構と比較して格段にスペースが少なくて済む。従って、本体部２の小型化も図ることができる。
【００２２】
なお、操作物検知センサ４のセンサ面は、図１（ａ）および図１（ｂ）に示すように、ディスプレイ部３の自由端に近い本体部２の部位に配置される。この部位は、ロック機構の解除ボタンが配置されることが多い。
このため、ロック機構を備えたディスプレイ装置に慣れたユーザは、解除ボタンを操作するように手を検知させることで、ディスプレイ部３の保持を解除することができる。
【００２３】
図２は、実施の形態１に係るディスプレイ装置１の構成を示すブロック図である。図２に示すように、ディスプレイ装置１は、スイッチ８および電源９を備える。
スイッチ８は、電源９の電流を電磁石５へ通電するか否かを制御する構成要素であり、開操作判定部１０、閉操作判定部１１および通電制御部１２を備えて構成される。
【００２４】
開操作判定部１０は、操作物検知センサ４の検知信号の入力有無に基づいて、操作者がディスプレイ部３を開方向に回転させる開操作が行われたか否かを判定する。
また、閉操作判定部１１は、収納検知センサ７の検知信号の入力有無に基づいて、操作者によってディスプレイ部３を閉位置にする閉操作が行われたか否かを判定する。
【００２５】
通電制御部１２は、開操作判定部１０および閉操作判定部１１の判定結果に基づいて、電源９の電流を電磁石５へ通電するか否かを制御する。
開操作判定部１０によって操作者が開操作を行ったと判定された場合、通電制御部１２は、電磁石５への通電を遮断する。閉操作判定部１１によって操作者が閉操作を行ったと判定された場合には、電源９の電流を電磁石５へ通電する。
【００２６】
なお、開操作判定部１０、閉操作判定部１１および通電制御部１２は、メモリに記憶されたプログラムを実行するＣＰＵ、システムＬＳＩ（大規模集積回路）などの処理回路により、実現される。また、複数の処理回路が連携して、開操作判定部１０、閉操作判定部１１および通電制御部１２の各機能を実行してもよい。
【００２７】
次に、閉位置にあるディスプレイ部３が開操作されたときの動作について説明する。
図３は、実施の形態１に係るディスプレイ装置１においてディスプレイ部３を開方向に回転させる動作を示すフローチャートである。また、図４は、ディスプレイ部３を開方向に回転させる操作の概要を示す図であって、図４（ａ）は閉位置にあるディスプレイ部３の状態、図４（ｂ）は操作者の手Ａが検知された状態、図４（ｃ）はディスプレイ部３を視聴位置まで回転させた状態を示している。
【００２８】
操作物検知センサ４は、図４（ａ）に示すようにディスプレイ部３が閉位置にあるときに操作者の手Ａを検知すると（ステップＳＴ１；ＹＥＳ）、検知信号を開操作判定部１０に出力する。また、操作者の手Ａを検知しなければ（ステップＳＴ１；ＮＯ）、ステップＳＴ１の処理を繰り返す。
【００２９】
開操作判定部１０は、操作物検知センサ４から上記検知信号を入力した場合、操作者が開操作を行ったと判定する。この判定結果を示す信号は、開操作判定部１０から通電制御部１２に出力される。通電制御部１２は、開操作を示す信号を入力すると、電磁石５への通電を遮断する（ステップＳＴ２）。
これにより電磁石５によるディスプレイ部３の保持が解除され、ディスプレイ部３は、図４（ｂ）に示す矢印方向に自重で回転する（ステップＳＴ３）。
【００３０】
ディスプレイ部３を視聴する場合、図４（ｃ）に示すように、操作者が、ディスプレイ部３をさらに視聴位置まで回転させればよい。なお、視聴位置とは、ディスプレイ部３の画面が見える程度に開方向に回転させた位置である。
このように操作物検知センサ４の検知結果に応じて電磁石５への通電を制御することにより、操作者が特別な操作を行わなくても、自動的にディスプレイ部３の保持を解除することができる。
【００３１】
次に、ディスプレイ部３を閉位置に保持するときの動作について説明する。
図５は、実施の形態１に係るディスプレイ装置１においてディスプレイ部３を閉位置に保持する動作を示すフローチャートである。
収納検知センサ７は、ディスプレイ部３を検知すると（ステップＳＴ１ａ；ＹＥＳ）、検知信号を閉操作判定部１１に出力する。ディスプレイ部３を検知しなければ（ステップＳＴ１ａ；ＮＯ）、ステップＳＴ１ａの処理を繰り返す。
【００３２】
次に、閉操作判定部１１は、収納検知センサ７から上記検知信号を入力すると、操作者が閉操作を行ったと判定する。この判定結果を示す信号は、閉操作判定部１１から通電制御部１２に出力される。通電制御部１２は、閉操作を示す信号を入力した場合、電源９の電流を電磁石５へ通電する（ステップＳＴ２ａ）。
このように収納検知センサ７の検知結果に応じて電磁石５への通電を制御することにより、操作者が特別な操作を行わなくても、自動的にディスプレイ部３を閉位置に保持することができる。
【００３３】
これまでは、電磁石５を本体部２に設け、永久磁石６をディスプレイ部３に設けた構成を示したが、反対に永久磁石６を本体部２に設け、電磁石５をディスプレイ部３に設けた構成であってもよい。すなわち、本発明では、永久磁石６に対する電磁石５の吸引磁力によってディスプレイ部３を閉位置に保持する構成であればよく、本体部２とディスプレイ部３のどちらに電磁石５、永久磁石６を設けても構わない。
【００３４】
また、図２に示したスイッチ８が、プロセッサがメモリに記憶されたプログラムを実行することにより実現されるソフトウェアスイッチである場合を示したが、本発明は、これに限定されるものではない。例えば、操作物検知センサ４および収納検知センサ７の検知信号を入力すると電磁石５への通電を開閉するハードウェアスイッチをスイッチ８として使用してもよい。
【００３５】
以上のように、実施の形態１に係るディスプレイ装置１において、本体部２に設けられた電磁石５が、ディスプレイ部３に設けられた永久磁石６に対する吸引磁力によってディスプレイ部３を閉位置に保持する。
このように構成することで、ロック機構と比較してスペースが少なくて済むことから、ディスプレイ装置１の小型化を図ることができる。
また、ディスプレイ装置１の外部に露出する部品がなく、意匠性も向上する。
さらに、ディスプレイ部３のヒンジの回転トルクを高くする必要がないため、滑らかな開閉が可能である。
【００３６】
また、実施の形態１に係るディスプレイ装置１は、操作者の手などの操作物を検知する操作物検知センサ４を備える。電磁石５は、操作物検知センサ４によって操作物が検知されると通電が遮断されてディスプレイ部３の保持を解除する。
このように構成することで、操作者が特別な操作を行わなくても自動的にディスプレイ部３の保持を解除することができる。
【００３７】
さらに、実施の形態１に係るディスプレイ装置１は、閉位置におけるディスプレイ部３を検知する収納検知センサ７を備える。電磁石５は、収納検知センサ７によって閉位置のディスプレイ部３が検知されると通電されてディスプレイ部３を閉位置に保持する。
このように構成することで、操作者が特別な操作を行わなくても自動的にディスプレイ部３を閉位置に保持することができる。
【００３８】
なお、本発明はその発明の範囲内において、実施の形態の任意の構成要素の変形、もしくは実施の形態の任意の構成要素の省略が可能である。
【産業上の利用可能性】
【００３９】
この発明に係るディスプレイ装置は、小型化と意匠性の向上を図られかつ滑らかな開閉が可能であるので、例えば車両に搭載される天吊り用のディスプレイ装置に好適である。
【符号の説明】
【００４０】
１  ディスプレイ装置、２  本体部、２ａ  収納凹部、３  ディスプレイ部、４  操作物検知センサ、５  電磁石、６  永久磁石、７  収納検知センサ、８  スイッチ、９  電源、１０  開操作判定部、１１  閉操作判定部、１２  通電制御部。
【図１】
2016157526.tif 000003
【図２】
2016157526.tif 000004
【図３】
2016157526.tif 000005
【図４】
2016157526.tif 000006
【図５】
2016157526.tif 000007
【手続補正書】
【提出日】平成29年2月23日(2017.2.23)
【手続補正１】
【補正対象書類名】明細書
【補正対象項目名】００１０
【補正方法】変更
【補正の内容】
【００１０】
この発明に係るディスプレイ装置は、収納部を有する固定部材と、収納部に収納される閉位置と固定部材から吊り下げられる開位置との間で回転自在に支持されるディスプレイ部と、固定部材およびディスプレイ部の一方に設けられた永久磁石と、固定部材およびディスプレイ部のもう一方に設けられ、永久磁石に対する吸引磁力によってディスプレイ部を閉位置に保持する電磁石と、操作物を検知する第１のセンサとを備え、電磁石は、第１のセンサによって操作物が検知されると通電が遮断されてディスプレイ部の保持を解除する。
【手続補正２】
【補正対象書類名】特許請求の範囲
【補正対象項目名】全文
【補正方法】変更
【補正の内容】
【特許請求の範囲】
【請求項１】
収納部を有する固定部材と、
前記収納部に収納される閉位置と前記固定部材から吊り下げられる開位置との間で回転自在に支持されるディスプレイ部と、
前記固定部材および前記ディスプレイ部の一方に設けられた永久磁石と、
前記固定部材および前記ディスプレイ部のもう一方に設けられ、前記永久磁石に対する吸引磁力によって前記ディスプレイ部を閉位置に保持する電磁石と
操作物を検知する第１のセンサとを備え、
前記電磁石は、前記第１のセンサによって操作物が検知されると通電が遮断されて前記ディスプレイ部の保持を解除すること
を特徴とするディスプレイ装置。
【請求項２】
閉位置における前記ディスプレイ部を検知する第２のセンサを備え、
前記電磁石は、前記第２のセンサによって閉位置の前記ディスプレイ部が検知されると通電されて前記ディスプレイ部を閉位置に保持すること
を特徴とする請求項１記載のディスプレイ装置。
【国際調査報告】
2016157526.tif 000008
2016157526.tif 000009
2016157526.tif 000010